(57)【要約】【課題】構造が単純で安価にして、コンクリートへの設置が容易で簡単に基礎天端を設定する。【解決手段】平板状の本体６が基礎型枠Ｘ内に基礎の設計高さＨより低く打設されたコンクリートＣ上面Ｓに載置される支持具２と、支持具本体６上方よりねじ込んで頭部３が基礎設計高さ天端の指標部となる天端設定用ねじ４とから成り、支持具２は、その本体６に天端設定用ねじ４がねじ込まれる支持孔８を貫設して成り、該支持孔８はその深さｔが天端設定用ねじ４のピッチＰより浅く形成され、支持孔８の口径Ｄは、天端設定用ねじ４の外径ｄより小径にして、且つその谷径d1より大径に設定した天端設定具を用い、支持孔８に天端設定用ねじ４を頭部付け根部3aが支持孔８の上端開口端8aに整合するまでねじ込み、本体６より突出した軸部５全体を固化前のコンクリートＣに差し込み、その後に天端設定用ねじ４をその頭部３が基礎の設計高さＨに整合する様に螺退させる。【選択図】図６
2007327181.tif 000002
【特許請求の範囲】
【請求項１】
基礎型枠内に基礎の設計高さより低く打設されたコンクリート上面に載置される平板状の本体に、頭部が基礎設計高さ天端の指標部となる天端設定用ねじをねじ込む支持孔を貫設して成り、該支持孔は、その深さが天端設定用ねじのピッチより浅く形成され、支持孔の口径は、天端設定用ねじの外径より小径にして、且つその谷径より大径に設定したことを特徴とするコンクリート基礎の天端設定用ねじの支持具。
【請求項２】
平板状の本体が基礎型枠内に基礎の設計高さより低く打設されたコンクリート上面に載置される支持具と、該支持具上方よりその本体にねじ込まれ、頭部が基礎設計高さ天端の指標部となる天端設定用ねじとから成り、支持具は、その本体に天端設定用ねじがねじ込まれる支持孔を貫設して成り、該支持孔は、その深さが天端設定用ねじのピッチより浅く形成され、支持孔の口径は、天端設定用ねじの外径より小径にして、且つその谷径より大径に設定したことを特徴とするコンクリート基礎の天端設定具。
【請求項３】
平板状の本体が基礎型枠内に基礎の設計高さより低く打設されたコンクリート上面に載置される支持具と、該支持具上方よりその本体にねじ込まれ、頭部が基礎設計高さ天端の指標部となる天端設定用ねじとから成り、支持具は、その本体に天端設定用ねじがねじ込まれる支持孔を貫設して成り、該支持孔は、その深さが天端設定用ねじのピッチより浅く形成され、支持孔の口径は、天端設定用ねじの外径より小径にして、且つその谷径より大径に設定した天端設定具の設置方法であって、前記支持孔に天端設定用ねじをその頭部付け根部が支持孔の上端開口端に整合するまでねじ込み、支持具本体より突出した天端設定用ねじの軸部全体を固化前の前記コンクリートにその上方から差し込んでコンクリート上面に支持具を載置したことを特徴とするコンクリート基礎の天端設定具の設置方法。
【請求項４】
平板状の本体が基礎型枠内に基礎の設計高さより低く打設されたコンクリート上面に載置される支持具と、該支持具上方よりその本体にねじ込まれ、頭部が基礎設計高さ天端の指標部となる天端設定用ねじとから成り、支持具は、その本体に天端設定用ねじがねじ込まれる支持孔を貫設して成り、該支持孔は、その深さが天端設定用ねじのピッチより浅く形成され、支持孔の口径は、天端設定用ねじの外径より小径にして、且つその谷径より大径に設定した天端設定具を用い、前記支持孔に天端設定用ねじをその頭部付け根部が支持孔の上端開口端に整合するまでねじ込み、支持具本体より突出した天端設定用ねじの軸部全体を固化前の前記コンクリートにその上方から差し込んでコンクリート上面に支持具を載置し、その後に天端設定用ねじをその頭部が基礎の設計高さに整合する様に螺退させたことを特徴とするコンクリート基礎の天端設定方法。
【請求項５】
天端設定用ねじの螺退は、上記コンクリートの固化後に成されることを特徴とする請求項４記載のコンクリート基礎の天端設定方法。
【請求項６】
天端設定用ねじの螺退は、上記コンクリートの固化前に成されることを特徴とする請求項４記載のコンクリート基礎の天端設定方法。
【発明の詳細な説明】
【技術分野】
【０００１】
本発明は、建築物におけるコンクリート基礎の天端設定用ねじの支持具、天端設定具、及び天端設定具の設置方法、並びにこの天端設定具を用いたコンクリート基礎の天端設定方法に関する。
【背景技術】
【０００２】
住宅の基礎工事においては、基礎がその天端に配置される土台を水平に保持すべく、基礎の天端を平坦と成す必要があるが、基礎としてのコンクリートは一般に流動性に乏しく、コンクリートの固化後にその天端表面に凹凸が残るため、基礎型枠内に基礎の設計高さ近くまでコンクリートを打設し、該コンクリートの固化後、更にそのコンクリート上に、液状に近くなるまで軟らかくしたセメント比率の高いコンクリートであるレベラーを流し込んで基礎と成し、該基礎が設計高さを有すると共に、基礎の天端表面の水平化を図っている。
基礎型枠内へ打設したコンクリート上に流し込むレベラーの打設高さ天端（基礎設計高さ天端に相当）を規定するには、例えば特許文献１に開示された天端出し補助具が使用される。
この天端出し補助具は、長手棒状の補助具本体の上端部に開口する受ネジ穴に進退可能に天端設定用ねじを螺合させると共に、補助具本体の上方及び下端の夫々に上羽根部及び下羽根部を突設して成り、固化前の上記コンクリート上方より補助具本体の全体を埋設し、前記コンクリート上面より上方突出した天端設定用ねじを、その頭部が基礎設計高さ天端に整合する様に進退操作して基礎天端を設定し、その後に天端設定用ねじの頭部までレベラーを流し込み、基礎天端を施工している。
【特許文献１】特開平７−１８９４８９号公報
【発明の開示】
【発明が解決しようとする課題】
【０００３】
しかしながら、上記天端出し補助具は、基礎型枠内に打設された後の固化前のコンクリートに補助具本体の全体を埋入するものであり、該補助具本体に外方突設した上羽根部及び下羽根部がコンクリート内の骨材に邪魔されてその埋入が非常に困難で作業性が悪い課題を有している。
又、上記天端出し補助具は、受ネジ穴を内装した補助具本体と、該補助具本体に上羽根部及び下羽根部を一体形成した構成であり、例え天端出し補助具がプラスチック製で一体成形できるとしても、その製造コストが高いといった課題も有していた。
【課題を解決するための手段】
【０００４】
この発明は、上記課題に鑑み、構造が単純で安価にして、コンクリートへの設置が容易で簡単に基礎天端を設定できるコンクリート基礎の天端設定用ねじの支持具、天端設定具、及びこの天端設定具の設置方法、並びにこの天端設定具を用いたコンクリート基礎の天端設定方法を提供することにある。
その手段として、本発明に係る天端設定用ねじの支持具では、基礎型枠内に基礎の設計高さより低く打設されたコンクリート上面に載置される平板状の本体に、頭部が基礎設計高さ天端の指標部となる天端設定用ねじをねじ込む支持孔を貫設して成り、該支持孔は、その深さが天端設定用ねじのピッチより浅く形成され、支持孔の口径は、天端設定用ねじの外径より小径にして、且つその谷径より大径に設定している。
又、本発明に係る天端設定具では、上記構成の支持具と、該支持具の上方よりその支持孔にねじ込まれる天端設定用ねじとを備えている。
又、本発明に係る天端設定具の設置方法では、上記構成の天端設定具において、支持具の支持孔に天端設定用ねじをその頭部付け根部が支持孔の上端開口端に整合するまでねじ込み、支持具本体より突出した天端設定用ねじの軸部全体を固化前の上記コンクリートにその上方から差し込んでコンクリート上面に支持具を載置する。
更に、本発明に係る天端設定方法では、上記天端設定具の設置方法によってコンクリート上に天端設定具が設置された後、天端設定用ねじをその頭部が基礎の設計高さに整合する様に螺退させる。
尚、天端設定用ねじの螺退は、コンクリートの固化後に成されても、コンクリートの固化前に成されてもよい。
【発明の効果】
【０００５】
要するに本発明によれば、支持具は、基礎型枠内に基礎の設計高さより低く打設されたコンクリート上面に載置される平板状の本体に、頭部が基礎設計高さ天端の指標部となる天端設定用ねじをねじ込む支持孔を貫設した単純な形態であり、支持孔は、その深さが天端設定用ねじのピッチより浅く形成され、支持孔の口径は、天端設定用ねじの外径より小径にして、且つその谷径より大径に設定して成るので、支持孔に雌ねじの形成が不要であるにも拘らず、天端設定用ねじを支持孔にねじ込むことができるので、その製造コストを従来品に比し飛躍的に低減できる。
【０００６】
そして、支持孔に天端設定用ねじをその頭部付け根部が支持孔の上方開口端に整合するまでねじ込んだ状態で、単に支持具本体より突出した天端設定用ねじの軸部全体を固化前の上記コンクリートに差し込むことにより、軸部はコンクリート内の骨材を押し退けてコンクリート内における位置を確保できると共に、差し込み後はコンクリートに直立状に支えられるので、支持具のコンクリート上面への載置を簡単に設定できる。
又、支持具は、その本体が平板状のため、コンクリート上面に載置されると、コンクリート内へ沈み込むことがなく、しかもコンクリート内に差し込まれた天端設定用ねじの軸部全体は上記の様にコンクリートに支えられているため、コンクリート上面における支持具の載置状態を安定させることができる。
【０００７】
上記の様に、天端具定具がコンクリート上に設置された後、天端設定用ねじをその頭部が基礎の設計高さに整合する様に螺退させることにより、簡単にして正確に基礎の天端を設定できる。
この螺退の際、コンクリート内に差し込まれた天端設定用ねじの軸部は、その全体がコンクリート内に直立状に支えられた状態で、天端設定用ねじの回転操作によって軸部の雄ねじが支持孔に旋回案内されてその頭部が徐々に支持具本体上より上方へ移動するため、天端設定用ねじは、支持孔を通してコンクリート上に安定的に直立でき、その頭部を基礎設計高さに整合させることができる。
【０００８】
更に、天端設定用ねじの螺退は、コンクリートの固化後に成されても、コンクリートの固化前に成されてもよく、コンクリート固化後の螺退にあっては、コンクリート内には天端設定用ねじによってこれを支える雌ねじが形成されることになり、かかるコンクリート製の雌ねじの存在によって天端設定用ねじの進退操作の微調整が容易に行える。
又、コンクリート固化前の螺退にあっては、コンクリート上面に開口している支持具の支持孔が天端設定用ねじを支持しているので、螺退の方向性が支持孔により規制されると共に、上述の通り天端設定用ねじの軸部全体はコンクリート内に直立状に支えられ、天端設定用ねじの回転操作で軸部の雄ねじが支持孔に旋回案内されてその頭部が徐々に支持具本体上より上方へ移動するため、例えコンクリートが軟らかくても軸部がコンクリート内で空回りすることや大きく傾くことはなく、軸部を支持孔を通してコンクリート上に真っ直ぐ突出させられ、従ってコンクリートが固化するのを待つことなく、基礎の天端設定が行え、その直後にレベラーを基礎型枠内に流し込むことにより基礎構築の作業効率を向上させるとができる等その実用的効果甚だ大である。
【発明を実施するための最良の形態】
【０００９】
以下本発明の実施の形態としての実施例を図面に基づいて説明する。
図１はコンクリート基礎の天端設定具の斜視図を示す。
この天端設定具１は、基礎型枠Ｘ内に基礎の設計高さＨより低く打設されたコンクリートＣ上面Ｓに載置される支持具２と、該支持具２の上方よりねじ込んで頭部３が基礎設計高さＨの天端（上端）の指標部となる天端設定用ねじ４とから成る。
天端設定用ねじ４は、所定長さを有する金属製のタッピンねじから成り、その頭部３は頂面が水平な皿形に形成されると共に、該頂面の中央には、ねじ回しやその他の治具の先端が差し込まれる十字穴が凹設され、天端設定用ねじ４の雄ねじが形成された軸部５の先端は尖鋭に形成されている。
【００１０】
支持具２は、金属製にして、その本体６が薄肉で所定面積を有する略方形な平板状に形成され、該本体６の前後左右に略舌状の突片７を垂下形成している。
又、支持具本体６の中央には、天端設定用ねじ４が上方からねじ込まれる支持孔８を貫設して成り、該支持孔８は、その深さｔ（本体６の肉厚に相当）が天端設定用ねじ４のピッチＰより浅く形成され、支持孔８の口径Ｄは、天端設定用ねじ４の外径（ねじ山の外径）ｄより小径にして、且つその谷径（ねじ溝の外径）d1より大径に設定している。
【００１１】
従って、支持孔８の内周には天端設定用ねじ４と螺合する雌ねじが形成されておらず、天端設定用ねじ４は支持孔８にやや斜めにねじ込まれるが、天端設定用ねじ４をその頭部付け根部3aが支持孔８の上方開口端8aに整合するまでねじ込むことにより、頭部３の頂面は、支持具２の本体６上面と平行な水平となる（図２、３参照）。
この様に天端設定用ねじ４の頭部付け根部3aが支持孔８の上方開口端8aに整合するまでねじ込んだ状態を、後述する天端設定具の設置方法におけるコンクリートＣへの設置準備状態と成している。
【００１２】
尚、支持具２の本体６は平面視形状が略方形状のものを示したが、その他の多角形状や円形状に形成されても良く、突片７の形状及び個数、突片７の本体６に対する垂下形成位置は何等限定されない。
更に、支持具２は、その本体６に突片７を設けることなく、単純な方形な平板状と成しても良く、その平面視形状はその他の多角形状や円形状と成しても良い。
又、図４に示す様に、支持具本体６中央を、天端設定用ねじ４における頭部３の円錐形座面に略合致した凹面状に陥没形成し、その中心に上記と同一構成の支持孔８を設けても良く、この場合にあっても本体６には突片７を設けなくても良いし、その本体６の平面視形状は円形であっても方形以外の多角形であっても良い。
尚、支持具２及び天端設定用ねじ４は、上記の様に金属製であることが望ましいが、いづれか一方又は両方がプラスチック製であっても良い。
【００１３】
次に、上記構成の天端設定具の設置方法及びこの天端設定具を用いたコンクリート基礎の天端設定方法について、図５、６に基づき説明する。尚、図５、６では図１に示す天端設定具を用いている。
又、基礎型枠Ｘ内には、既に基礎の設計高さＨより低い位置までコンクリートＣが打設されている。
【００１４】
天端設定具の設置方法では、先ず、複数の天端設定具１をコンクリートＣへの設置準備状態とする。即ち、支持孔８に天端設定用ねじ４をその頭部付け根部3aが支持孔８の上端開口端8aに整合するまでねじ込む。
次いで、支持具本体６より突出した天端設定用ねじ４の軸部５全体を、基礎型枠Ｘ内に打設された固化前の上記コンクリートＣにその上方より差し込む。これにより、コンクリートＣ上面Ｓに支持具２が載置される（図５参照）。
尚、各天端設定具１は、コンクリートＣ上面Ｓの長手方向に所定間隔置きに差し込まれる。
【００１５】
かかる天端設定具１のコンクリートＣ上における設置状態にあっては、天端設定用ねじ４の軸部５は細長なため容易にコンクリートＣ内へ差し込まれ、又軸部５の先端が図示例の様に尖鋭であればより一層容易に差し込まれ、その差込みによってコンクリート内Ｃの骨材を押し退けてコンクリートＣ内における位置を確保できると共に、コンクリートＣに直立状に支えられ、コンクリートＣ内には軸部５の形状に合致した雌ねじが形成される。  又、支持具２は、その本体６が平板状のため、コンクリートＣ上面Ｓに位置すると、コンクリートＣ内へ沈み込むことがなく、上記の様に差し込まれた軸部５が根となり、本体６を安定的に支え、更に突片７がコンクリートＣ上面Ｓの直下に差し込まれていることで、本体６の上面Ｓにおける載置状態をより一層安定させる。
突片７は、本体６のコンクリートＣ上での水平方向への回り止めにもなるが、支持具２に突片７を形成していなくても、コンクリートＣ上に載置されることで、該コンクリートＣの付着力により、後述の如く天端設定用ねじ４を螺退のために回す程度では、回転する天端設定用ねじ４と共に支持具２が回転する恐れはない。
【００１６】
コンクリート基礎の天端設定方法は、上記の様に、天端設定具の設置方法で天端設定具１をコンクリートＣ上に設置した後に成される。
コンクリート基礎の天端設定は、天端設定用ねじ４を回転操作する治具（図示せず）を用い、該治具の先端を天端設定用ねじ４の頭部３に設けた十字穴に差し込み、天端設定用ねじ４をその頭部３の頂面が基礎設計高さＨに整合する様に螺退させる（図６参照）。
この螺退の際には、コンクリートＣ内に差し込まれた天端設定用ねじ４の軸部５は、その全体がコンクリートＣ内に直立状に支えられた状態で、天端設定用ねじ４の回転操作によって軸部５の雄ねじが支持孔８に旋回案内されてその頭部３が徐々に本体６上より上方へ移動するため、天端設定用ねじ４は、支持孔８を通してコンクリートＣ上に安定的に直立できる。
尚、天端設定用ねじ４は支持孔８を通過する時は本体６に対しやや斜めに螺退しようとするが、軸部５の全体がコンクリートＣ内に支持されているため、天端設定用ねじ４はその螺退によってほぼ真っ直ぐに支持具２の本体６より突き出る。
【００１７】
天端設定用ねじ４の螺退は、コンクリートＣの固化後、又は固化前のいずれの場合であっても可能である。
コンクリート固化後の螺退にあっては、コンクリートＣ内には天端設定用ねじ４によって、軸部５を支える雌ねじが形成されることになり、かかるコンクリート製の雌ねじの存在によって天端設定用ねじ３の進退操作の微調整が可能となる。
又、コンクリート固化前の螺退にあっては、コンクリートＣ上面Ｓに開口している支持具２の支持孔８が天端設定用ねじ４を支持しているので、螺退の方向性が支持孔８によって規制されると共に、上述の通り天端設定用ねじ４の軸部５全体はコンクリートＣ内に直立状に支えられ、天端設定用ねじ４の回転操作で軸部５の雄ねじが支持孔８に旋回案内されてその頭部３が徐々に本体６上より上方へ移動するため、例えコンクリートＣが軟らかくても軸部５がコンクリートＣ内で空回りすることや大きく傾くことはなく、軸部５を支持孔８を通してコンクリートＣ上に真っ直ぐ突出させられる。
従って、コンクリートＣが固化するのを待つことなく、天端設定具１のコンクリートＣへの設置直後でも、天端設定用ねじ４の螺退によるコンクリート基礎の天端設定が可能となる。
尚、図６において、二点鎖線で示したコンクリート製の雌ねじは、コンクリートＣの固化前に天端設定用ねじ４を螺退させた場合、そのコンクリートＣの硬化状態によっては、その雌ねじの空間は螺退に伴ってその回りのコンクリートＣにより崩れて閉ざされることになるが、かかる現象は天端設定用ねじ４の螺退操作に何等の支障を生ぜず、その空間が閉ざされることで、かえって固化後のコンクリート内に空隙が生じないので、構築された基礎の強度をより高められる。
そして、コンクリートＣに差し込まれた全ての天端設定具１における天端設定用ねじ４を上記と同様にその頭部３が基礎設計高さＨに整合するまで螺退させた後、各天端設定用ねじ４の頭部３までレベラー（図示せず）を基礎型枠Ｘ内に流し込み、基礎天端を施工し、基礎を構築する。
【図面の簡単な説明】
【００１８】
【図１】天端設定具の斜視図である。
【図２】同上縦断面図である。
【図３】天端設定具のコンクリートへの設置準備状態における要部拡大断面図である    。
【図４】天端設定具の変形例を示す縦断面図である。
【図５】天端設定具の設置状態を示す断面図である。
【図６】コンクリート基礎の天端設定状態を示す断面図である。
【符号の説明】
【００１９】
２  支持具
３  頭部
3a  頭部付け根部
４  天端設定用ねじ
６  本体
８  支持孔
8a  上端開口端
Ｃ  コンクリート
Ｄ  口径
ｄ  外径
d1  谷径
Ｈ  基礎の設計高さ
Ｐ  ピッチ
Ｓ  上面
ｔ  深さ
Ｘ  基礎型枠
【図１】
2007327181.tif 000003
【図２】
2007327181.tif 000004
【図３】
2007327181.tif 000005
【図４】
2007327181.tif 000006
【図５】
2007327181.tif 000007
【図６】
2007327181.tif 000008